(57)【特許請求の範囲】
【請求項１】
第１ケースの側壁と第２ケースの側壁とが接合して形成される内部に電子基板を収容するハンディ型表示器において、
一端と他端が同じ方向に突出した凹形状であるフックと、
前記第１ケースに形成され、前記フックの一端が係着する係着部と、
前記第２ケースの側面に形成され、前記フックの他端が嵌合する凹部と、
前記第２ケースと前記フックの他端とをこの順に連通して螺着するネジ部材と、
を備え、
前記ネジ部材による前記フックの他端と前記第２ケースとの螺着によって、前記フックの一端が前記係着部を押圧し、前記フックの内周側で前記第１ケースの側壁と前記第２ケースの側壁とが圧接する
ことを特徴とするハンディ型表示器。
【請求項２】
前記第１ケースの側壁と前記第２ケースの側壁は、圧接されて弾性変形するシール材を介して接合している
ことを特徴とする請求項１に記載のハンディ型表示器。
【請求項３】
前記係着部は、前記第１ケースの側面に設けられた窪みに形成される
ことを特徴とする請求項１又は２に記載のハンディ型表示器。
【請求項４】
前記係着部は、前記第１ケースの正面に形成される
ことを特徴とする請求項１又は２に記載のハンディ型表示器。
【請求項５】
前記係着部と前記フックの一端は、互いに対向する傾斜面を備える
ことを特徴とする請求項１乃至４のいずれかに記載のハンディ型表示器。
【請求項６】
前記係着部は、鉤形状に形成された前記フックの一端に対向して形成される
ことを特徴とする請求項１乃至５のいずれかに記載のハンディ型表示器。
【請求項７】
前記電子基板は、前記ネジ部材の進行方向上に配されている
ことを特徴とする請求項１乃至６のいずれかに記載のハンディ型表示器。
【請求項８】
前記フックの外面は、前記外面の端部に隣接する前記第１ケースの側面又は前記第２ケースの側面に対して、略平坦となるように形成される
ことを特徴とする請求項１乃至７のいずれかに記載のハンディ型表示器。
【請求項９】
前記第１ケースの側壁と前記第２ケースの側壁とは、略同一平面上でのみ接合している
ことを特徴とする請求項１乃至８のいずれかに記載のハンディ型表示器。
【請求項１０】
前記第１ケースは、前記正面に前記表示部を備えたフロントカバーである
ことを特徴とする請求項１乃至９のいずれかに記載のハンディ型表示器。
【発明の詳細な説明】
【技術分野】
【０００１】
本発明は、例えばハンディ型プログラマブル表示器等、内部に液晶モジュール等の電子基板を収納したハンディ型表示器に関する。
【背景技術】
【０００２】
ハンディ型表示器の例として、ハンディ型プログラマブル表示器が挙げられる。このハンディ型プログラマブル表示器は、一般的に操作者が掌の上に置いて又は把持して操作するものであり、ホストコントローラ（ＰＬＣ、インバータ、温調計等）とのインターフェースを備え、ホストコントローラに接続されたデバイスの稼働状況を表示したり、デバイスへの制御指示を与える入力操作をしたりする機能を備えている。
ハンディ型プログラマブル表示器は、リアケースの側壁とフロントカバーの側壁との接合により形成した内部に液晶モジュール等の電子基板が搭載されており、フロントカバー正面には液晶画面が表示され、画面上に操作盤等の各デバイスの稼働状況、制御指示画面などを表示することができる。また、液晶画面の周囲には、複数の操作スイッチが配置されている。
【０００３】
ハンディ型プログラマブル表示器は、手に持って操作することが主であり、快適な操作性を確保するために製品の小型化要求が強い。ただし、液晶画面の大きさや制御処理速度などの性能の仕様によって液晶モジュールや制御基板の大きさが決まっているため、小型化のためには、リアケースやフロントカバーをできるだけ小型化させて、電子基板がリアケースやフロントカバーの内側面に近接して配置させることになる。
【０００４】
このリアケースとフロントカバーは、特許文献１に示す従来のハンディ型プログラマブル表示器においては、以下のように接合して固定されている。
特許文献１において、上ケース部材と下ケース部材とは、互いの側壁に、互いと接合する接合面をそれぞれ有している。さらに、上ケース部材と下ケース部材の周縁には、互いを連結固定するためのネジ孔が複数箇所設けられ、互いの側壁内を貫通している。下ケース部材の背面からネジ部材を互いのネジ孔に挿通し、ネジ部材の締め付けによって上ケース部材と下ケース部材とを固定している。これにより簡便で充分な固定を可能にしている。つまり、両接合面が接合する方向とネジ部材が締付ける方向が同一方向であるため、ネジ部材による締付け箇所とその周辺において、互いの接合面が圧接し、密閉性が充分確保されている。また、１方向からのネジ部材の締め付けという簡便な固定方法が採られている。（特許文献１の図５参照）
【先行技術文献】
【特許文献】
【０００５】
【特許文献１】特開２００４−１３３６９２号公報
【発明の概要】
【発明が解決しようとする課題】
【０００６】
この特許文献１に記載のハンディ型表示器においては、上ケース部材と下ケース部材の側壁において、ネジ孔を設けた箇所は、ネジ孔のない箇所に比べ肉厚とならざるを得ない。そのため、両ケース部材の接合面を断面として両ケース部材を見たとき、ネジ孔のある箇所は、ネジ孔のない箇所に比べて、側壁が外又は内に膨らむような形状になる。
【０００７】
ここで液晶モジュール等の電子基板は両ケース部材の内側面に近接して配置しているため、電子基板の形状や配置を優先した場合、ネジ孔のある箇所では側壁が外に膨らむ形状となる。この時、側壁が外に膨らむ分、ハンディ型表示器の小型化という要望に反し、両ケース部材は大型化する。また、ネジ孔のある箇所だけ大型化した場合、ハンディ型表示器の側面はいびつな形状となり、表示器を持つ手になじみにくく、外観も優れない。
一方、ハンディ型表示器の小型化を優先した場合、ネジ孔のある箇所では側壁が内に膨らむ形状となる。この時、電子基板は、この膨らむ形状に沿って窪んだいびつな形状に形成する、または基板全体を小型化させる必要がある。つまり、電子基板の形状や配置の自由度が低下する。
【０００８】
すなわち、従来のハンディ型表示器においては、両ケース部材の側壁にネジ孔を設ける必要があり、両ケース部材の側壁が肉厚な形状となるため、小型化と電子基板の形状や配置の自由度向上とを両立できないという課題があった。
【０００９】
この発明は、以上のような問題を解決するためになされたものであり、螺着による簡便で充分な固定を維持しつつ、小型化と、接合面付近に配置される電子基板等の配置、形状の自由度向上とを両立させるハンディ型表示器を得ることを目的とする。
【課題を解決するための手段】
【００１０】
本発明に係るハンディ型表示器は、第１ケースの側壁と第２ケースの側壁とが接合して形成される内部に電子基板を収容するものにおいて、一端と他端が同じ方向に突出した凹形状であるフックと、第１ケースに形成され、フックの一端が係着する係着部と、第２ケースの側面に形成され、フックの他端が嵌合する凹部と、第２ケースとフックの他端とをこの順に連通して螺着するネジ部材と、を備え、ネジ部材によるフックの他端と第２ケースとの螺着によって、フックの一端が係着部を押圧し、フックの内周側で第１ケースの側壁と第２ケースの側壁とが圧接するものである。
【発明の効果】
【００１１】
この発明によれば、螺着による簡便で充分な固定を維持しつつ、小型化と、接合面付近に配置される電子基板等の配置、形状の自由度向上とを両立させることができる。
【図面の簡単な説明】
【００１２】
【図１】本発明の実施の形態１に係るハンディ型表示器の正面斜視図である。
【図２】ハンディ型表示器の背面斜視図である。
【図３】フロントカバーの正面斜視図である。
【図４】フロントカバーの背面概要図である。
【図５】リアケースの正面斜視図である。
【図６】フックの外観を示した図であり、（ａ）は内面斜視図、（ｂ）は外面斜視図、（ｃ）は側面図である。
【図７】図１のＡ−Ａ断面を矢印方向に見た図である。
【図８】図７の締付け固定状況を示す要部拡大図である。
【図９】本発明の実施の形態２に係る図７の要部拡大図である。
【図１０】本発明の実施の形態３に係るフックの一端の係着を示した断面概要図である。
【発明を実施するための形態】
【００１３】
以下、本発明の実施の形態について図面を参照しながら説明する。なお、図中における同等または対応する部品、箇所については同番号を付す。
【００１４】
実施の形態１．
図１は本発明の実施の形態１に係るハンディ型表示器の正面斜視図であり、図２はハンディ型表示器の背面斜視図である。本実施の形態１においては、ハンディ型表示器としてハンディ型プログラマブル表示器１を適用して説明したものである。ハンディ型プログラマブル表示器１は、製品全体の筐体となるケース本体２が、フロントカバー３とリアケース４により形成されている。フロントカバー３とリアケース４は共に、周状に側壁を備えた形状であり、フロントカバー３の側壁３ａに設けられた接合面３ｂ（図４に図示）と、リアケース４の側壁４ａに設けられた接合面４ｂ（図５に図示）とがシール材５（図４に図示）を介して接合している。フロントカバー３とリアケース４とは、フック１０とフック固定ネジ１１等により締め付け固定されている。本実施の形態１ではフロントカバー３が第１ケースに相当し、リアケース４が第２ケースに相当する。
【００１５】
図１において、製品正面となるフロントカバー３の正面３ｃには液晶画面の表示部６が設けられ、画面上に操作盤等の各デバイスの稼働状況、制御指示画面などを表示する。表示部６の周囲には、各種の操作スイッチ７や操作ダイヤル８が設けられており、これらを用いて表示画面の変更や被制御対象に対する制御命令を行う。
【００１６】
図２において、製品背面となるリアケース４の背面４ｃの周縁には、フロントカバー３とリアケース４とを固定する各種ネジを挿通するためのネジ孔が複数設けられている。このうち、第１ネジ孔９ａは、リアケース４の側壁４ａとフロントカバー３の側壁３ａとを連通する連通ネジ（図示しない）が挿通するために設けられる。一方、表示部６の左右両脇の下方にある２つの第２ネジ孔９ｂは、フック１０を固定するフック固定ネジ１１が挿通するために設けられる。フック１０によって、リアケース４とフロントカバー３とは締め付け固定される。複数のネジ孔をバランスよく配置し、連通ネジとフック固定ネジ１１を締付けることで、リアケース４の接合面４ｂとフロントカバー３の接合面３ｂとに全周に亘ってほぼ均等に圧接する力がかかり、全周に亘って密閉性が確保されている。
【００１７】
図３はフロントカバーの正面斜視図であり、図４はフロントカバーの背面概要図である。図４は説明の都合上、フロントカバーに、後述の液晶モジュール、シール材及びフックを取り付けた状態の図としている。
図３において、フロントカバー３の側壁３ａにはフック１０の梁部１０ａ（図４に図示）が嵌合するフック嵌合窪み３１が形成されている。このフック嵌合窪み３１の中には、さらに窪んだところに係着部３２ａ（図８に図示）が形成されている。この係着部３２ａは、フック固定ネジ１１で締付ける際に、フック１０の一端１０ｂ（図６に図示）が係着する面となっている。
【００１８】
図４において、図の中央には液晶モジュール４１が配置されている。この液晶モジュール４１によって表示部６の画面の大きさは決まり、製品の小型化のため、液晶モジュール４１の左右の側面は、フロントカバー３の側壁３ａ内面に近接した状態で配置されている。
また周状に形成されたフロントカバー３の側壁３ａには、全周に亘って接合面３ｂが設けられ、接合面３ｂにはシール材５としてＯリング５が取り付けられている。このＯリング５は、接合面３ｂと同様、同一平面上にあり、図４の奥、手前方向に圧接されて弾性変形するものであり、フロントカバー３の接合面３ｂとリアケース４の接合面４ｂとが接合する際に弾性変形し、密閉性をより向上させるものである。
さらに、フロントカバー３の側壁３ａは、フック嵌合窪み３１のあるところで、わずかに内に窪んだ形状となっており、フック１０の梁部１０ａがフック嵌合窪み３１に嵌合することで、フック１０の外面１０ｃとフロントカバー３の側面３ｄとが略平坦になるように形成されている。
【００１９】
図５はリアケースの正面斜視図である。
図５において、周状に形成されたリアケース４の側壁４ａには、フック嵌合窪み３１と、全周に亘って接合面４ｂが設けられている。フック嵌合窪み３１の中には、さらに窪んだ凹部５１（図８に図示）が形成されている。この凹部５１は、フック１０の他端１０ｄ（図６に図示）が嵌合するところである。フック１０の他端１０ｄには、フック固定ネジ１１が挿通するためのネジ孔が設けられるため、フック１０の他端１０ｄは肉厚となり、そのフック１０の他端１０ｄが嵌合する凹部５１は、フロントカバー３側のフック嵌合窪み３１に比べて大きく窪むこととなる。
【００２０】
図６は、フックの外観を示した図であり、（ａ）は内面斜視図、（ｂ）は外面斜視図、（ｃ）は側面図である。
図６において、フック１０は、同じ方向に突出した一端１０ｂと他端１０ｄとが梁部１０ａによって連結した構成であり、凹形状である。他端１０ｄには、リアケース４の下面と他端１０ｄとを挿通するフック固定ネジ１１のためにフックネジ孔１０ｅが図の下方から設けられており、その分、梁部１０ａと一端１０ｂに比べて肉厚になっている。
【００２１】
また、フック１０の一端１０ｂは、フロントカバー３の係着部３２ａに係着する、つまり引掛けるために、他端１０ｄと同じ方向に突出している。さらに、フック固定ネジ１１によって締付けた際に、一端１０ｂと係着部３２ａとがより強力に係着するよう、一端１０ｂの内面７０は、図の下方、つまり他端１０ｄの方向に向く傾斜面となっている。この内面７０に対向する係着部３２ａも、この傾斜面に沿うように傾斜を持って形成されている。つまり、係着部３２ａと一端１０ｂの内面７０とが、互いに対向する傾斜面を備えることで、締付け時により強力に係着され、フック１０が外れにくくなる。一端１０ｂの場合、係着さえすればよいので、他端１０ｄのように大きく突出する必要はない。
【００２２】
図７は、図１のＡ−Ａ断面を矢印方向に見た図であり、図８は図７の締付け固定状況を示す要部拡大図である。両図は、フック１０によりフロントカバー３とリアケース４とが締付け固定される概略を示した図である。
図７及び図８の断面図において、フロントカバー３とリアケース４とが、互いの接合面３ｂ、４ｂにおいて、Ｏリング５を介して接合している。接合面３ｂにはＯリング５を位置決めして取り付けられるように窪みが形成されている。これら接合面３ｂ、４ｂの外側では、フック１０の梁部１０ａがフック嵌合窪み３１に嵌合している。また、梁部１０ａの上方では、フック１０の一端１０ｂがフロントカバー３の側面３ｄの窪みに形成された係着部３２ａに係着している。一方、梁部１０ａの下方では、フック１０の他端１０ｄが、リアケース４の側面４ｄに形成された凹部５１に嵌合している。さらに、リアケース４の下方から、リアケース４の背面４ｃの第２ネジ孔９ｂと、他端１０ｄのフックネジ孔１０ｅとをフック固定ネジ１１が連通しており、締付けることで他端１０ｄはリアケース４に螺着される。なお、フック１０の外面１０ｃは、外面１０ｃの端部と隣り合うフロントカバー３の側面３ｄ及びリアケース４の側面４ｄと平坦になるよう形成されている。また、係着部３２ａとフック１０の一端１０ｂは、互いに対向する傾斜面を備えている。
【００２３】
このような構成において、フロントカバー３の接合面３ｂとリアケース４の接合面４ｂとが、締付け固定される概要を以下に説明する。
図８において、第２ネジ孔９ｂとフックネジ孔１０ｅとを挿通するフック固定ネジ１１を締めると、リアケース４にフック１０の他端１０ｄが螺着する。この時、フック１０の他端１０ｄはネジ締めにより、リアケース４の背面４ｃ側、つまり図８の下方に引き寄せられる。これに連動して、フック１０の一端１０ｂがフロントカバー３の係着部３２ａを下方に押圧する。この押圧によって、フロントカバー３の側壁３ａは下方に引き寄せられる。つまり、フロントカバー３の接合面３ｂとリアケース４の接合面４ｂとが引き寄せあうようにフロントカバー３がリアケース４の方に相対移動する。これにより、フロントカバー３の接合面３ｂとリアケース４の接合面４ｂとに挟まれたＯリング５は、上下方向に圧接されて圧縮変形し、両接合面間の密閉性を十分に確保することになる。ここでは、Ｏリング５を両接合面間に介在させたが、Ｏリング５がなくとも両接合面間の密閉性は十分に確保される。Ｏリング５がない場合は、フロントカバー３の側壁３ａが下方に引き寄せられることで、リアケース４の接合面４ｂにフロントカバー３の接合面３ｂが押付けられて密閉性を確保する。このように、フック１０の内周側となる梁部１０ａの右側でフロントカバー３の接合面３ｂとリアケース４の接合面４ｂとが締め付け固定されている。
【００２４】
以上のように、この実施の形態１に記載されたハンディ型表示器１によれば、第１ケース３の側壁３ａと第２ケース４の側壁４ａとが接合すると共に、凹形状のフック１０が、一端１０ｂは第１ケース３の係着部３２ａに係着し、他端１０ｄは第２ケース４の側面４ｄの凹部５１に嵌合している。さらに、フック１０の内周側で第１ケース３の側壁３ａと第２ケース４の側壁４ａを圧接させるように、フック１０の他端１０ｄが第２ケース４に螺着している。この構成により、両ケースの接合面３ｂ、４ｂ付近において、互いの側壁３ａ、４ａにそれぞれネジ孔を設ける必要がなくなるため、側壁の肉厚にフックの梁部の肉厚を足したとしても、従来の側壁ほど肉厚にはならない。ゆえに小型化と、接合面付近に配置される電子基板等の配置、形状の自由度向上とを両立させることが可能となる。
【００２５】
さらに、１方向からのネジ部材１１の締め付けという簡便な固定方法を採用しつつも、第１ケース３と第２ケース４の両接合面３ｂ、４ｂが接合する方向とネジ部材１１が締付ける方向が同一方向であるため、ネジ部材１１による締付け箇所とその周辺において、互いの接合面３ｂ、４ｂが圧接し、密閉性を充分確保できる。
【００２６】
以上の効果を有する構成に加えて、本実施の形態１では、第１ケース３の側壁３ａと第２ケース４の側壁４ａが、圧接されて弾性変形するシール材５を介して接合している。そのため、互いの接合面３ｂ、４ｂ間においてさらに密閉性を高めることができる。このように、第１ケースの側壁と第２ケースの側壁との接合とは、両側壁が直接接合することだけでなく、シール材を介して接合することも含まれる。
【００２７】
また、係着部３２ａは第１ケース３の側面３ｄに設けられた窪みに形成されている。そのため、フック１０の一端１０ｂは第１ケース３の側面３ｄに係着することとなり、第１ケース３の正面３ｃにはフック１０の一端１０ｂによる凹凸がなく平坦にすることができる。これにより、ハンディ型表示器１の持ちやすさ、美観が向上する。ハンディ型表示器１の正面は特に美観が重要であり、また操作スイッチ７等の操作時に正面に凹凸があると操作性が悪いため、第１ケース３の正面３ｃがハンディ型表示器１の正面となる、つまり第１ケースがフロントカバーに相当するとき、この構成は特に効果的である。
【００２８】
さらに、係着部３２ａとフック１０の一端１０ｂは、互いに対向する傾斜面を備えている。そのため、フック固定ネジ１１による締め付け時に、より強力に係着され、フック１０が外れにくくなる。また、傾斜面程度の形成であれば、製造が容易で、フックの一端の突出量と第１ケースの側壁の肉厚を抑制することができる。
【００２９】
さらにまた、電子基板４１はフック１０の他端１０ｄと第２ケース４とを螺着するネジ部材、つまりフック固定ネジ１１の進行方向上に配されている。この構成により、本発明の構成によって得られたフック固定ネジ１１の進行方向上のスペースを有効利用できている。本実施の形態１ではこのスペースに電子基板として液晶モジュール４１を配置している。なお、このスペースによって従来より大きな電子基板を配することができ、液晶画面の拡大、処理速度の向上など搭載される電子基板の性能を向上できる。
【００３０】
また、フック１０の外面１０ｃは、外面１０ｃの端部に隣接する第１ケース３の側面３ｄまたは第２ケース４の側面４ｄに対して、略平坦となるように形成される。この構成により、ハンディ型表示器１の側面の美観が優れ、表示器を持つ手になじみやすい。これは、図１のハンディ型プログラマブル表示器１に示すように、フック１０を有した左右の側面が、一面に略平坦であるとき、特に効果的である。なお、電子基板４１を配置するスペースを十分確保したい場合等、略平坦とならなくとも当然よい。
【００３１】
また、第１ケース３の側壁３ａと第２ケース４の側壁４ａとは、略同一平面上でのみ接合している。本実施の形態１では、両側壁３ａ、４ａが周状に形成され、その全周に亘って同一平面上で接合している。この構成により、両接合面３ｂ、４ｂが接合する方向とネジ部材１１が締付ける方向が両ケースのいずれの接合部分でも一致しており、適切な数のネジ止め箇所があれば、いずれの接合部分でも密閉性が確保される。例えば、一部の接合面が上記の同一平面に対して直角方向に向いた段差となる場合、この段差において両接合面が接合する方向とネジ部材が締付ける方向が異なるため、段差において密閉性が十分とは言えない。ただし、シール材の弾性変形量によって吸収できる程度の段差であれば、密閉性は確保できる。
【００３２】
さらに本実施の形態１では、第１ケース３は、正面３ｃに表示部６を備えたフロントカバーである。この構成により、フック固定ネジ１１及び第２ネジ孔９ｂが、ハンディ型表示器１の背面に設けられるため、ハンディ型表示器１の正面は美観が保たれる。
【００３３】
なお、本実施の形態１では、フロントカバー３、リアケース４及びフック１０をいずれも同じ樹脂で成型している。これにより、部品の管理がしやすく、また、線膨張係数が同じであるため、温度変化時もフックが外れにくい。また、本実施の形態１では、フロントカバー３とリアケース４との固定を、一部は本発明のフック１０を用いて固定しており、また一部は、従来と同様に、リアケース４の側壁４ａとフロントカバー３の側壁３ａとを連通する連通ネジを用いて固定している。このように、特に小型化が必要な側壁に関しては、本発明のフック１０を用い、従来の構成で対応できる箇所は、フックが必要ない分、部品数及び工数を減らすことができ、適材適所で固定方法を選べばよい。
【００３４】
また、ハンディ型表示器として、ハンディ型プログラマブル表示器１を例示したが、それに限らず、携帯ゲーム機や音声・データ通信端末等、その他の携帯端末も含む。また、本実施の形態１ではフロントカバー３を第１ケース、リアケース４を第２ケースとして例示したが、フロントカバー３を第２ケース、リアケース４を第１ケースとして構成しても当然よい。また、製品全体の筐体となるケース本体２をフロントカバー３、リアケース４のみで構成したが、製品全体の筐体を構成するケースの数はこれに限らない。
【００３５】
実施の形態２．
次に、本発明の実施の形態２に関して、以下に図を用いて説明する。本実施の形態２は、フック１０の一端１０ｂをフロントカバー３の正面３ｃに係着させた構成であり、それに関連する構成を除いては実施の形態１と同様であり、実施の形態１と異なる点について詳述する。
図９は本発明の実施の形態２に係る図７の要部拡大図であり、図８の変形例である。
【００３６】
図８ではフック１０の一端１０ｂがフロントカバー３の側面３ｄに形成された係着部３２ａに係着していたところ、図９においては、フック１０の一端１０ｂはフロントカバー３の正面３ｃに形成された係着部３２ｂに係着している。図８では側面３ｄに係着部３２ａを設けるために、側面３ｄに窪みを設ける必要があり、フロントカバー３の側壁３ａがその分肉厚になっていたが、図９においては、フロントカバー３の側壁３ａは肉薄になる。
【００３７】
以上のように、この本実施の形態２に記載されたハンディ型表示器１によれば、係着部３２ａが第１ケース３の正面３ｃに形成されている。この構成により、ハンディ型表示器１の正面にはフック１０の一端１０ｂによる凹凸ができるものの、図８のようにフック１０の一端１０ｂを第１ケース３の側面３ｄに係着するために窪みを設ける必要がなくなり、本発明によって得られるようになったネジ部材１１の進行方向上に電子基板を配置するスペースを、より拡大できる。
【００３８】
実施の形態３．
次に、本発明の実施の形態３に関して、以下に図を用いて説明する。本実施の形態３は、フックの一端を鉤形状に形成し、係着部に係着させた構成であり、それに関連する構成を除いては実施の形態１と同様である。
図１０は本発明の実施の形態３に係るフックの一端の係着を示した断面概要図であり、図８の変形例である。
【００３９】
図８では係着部３２ａとフック１０の一端１０ｂは、互いに対向する傾斜面を備える構成であったが、図１０においてはフック１０の一端１０ｂは、その突端がフロントカバー３の接合面３ｂの方向に突出した鉤形状に形成されている。この一端１０ｂに対向する係着部３２ａは、一端１０ｂの突端が嵌合するよう、フロントカバー３の正面３ｃ方向に向けて開口した凹形状となっている。この構成により、フック固定ネジ１１によって締め付けられると、係着部３２ａとフック１０の一端１０ｂが強く係着する。
【００４０】
以上のように、この本実施の形態３に記載されたハンディ型表示器１によれば、係着部３２ａが、鉤形状に形成されたフック１０の一端１０ｂに対向して形成されている。この構成により、鉤形状に形成されたフック１０の一端１０ｂが、より強力に係着し、フック１０が外れにくくなる。
【００４１】
なお、本発明は、その発明の範囲内において、各実施の形態を組み合わせたり、各実施の形態を適宜、変形、省略することが可能である。
【符号の説明】
【００４２】
１      ハンディ型（プログラマブル）表示器
３      フロントカバー
３ａ    （フロントカバーの）側壁
３ｃ    （フロントカバーの）正面
３ｄ    （フロントカバーの）側面
４      リアケース
４ａ    （リアケースの）側壁
４ｄ    （リアケースの）側面
５      Ｏリング
６      表示部
１０    フック
１０ｂ  （フックの）一端
１０ｃ  （フックの）外面
１０ｄ  （フックの）他端
１１    フック固定ネジ
３２ａ、３２ｂ  係着部
４１    液晶モジュール
【要約】
【課題】  この発明は、螺着による簡便で充分な固定を維持しつつ、小型化と、接合面付近に配置される電子基板等の配置、形状の自由度向上とを両立させることができるハンディ型表示器を得ることを目的とする。
【解決手段】  本発明に係るハンディ型表示器は、第１ケース３の側壁と第２ケース４の側壁とが接合して形成される内部に電子基板４１を収容するものにおいて、一端１０ｂと他端１０ｃが同じ方向に突出した凹形状であるフック１０と、第１ケース３に形成され、フック１０の一端１０ｂが係着する係着部３２ａと、第２ケース４の側面に形成され、フック１０の他端１０ｄが嵌合する凹部５１と、を備え、フック１０の内周側で第１ケース３の側壁と第２ケース４の側壁とを圧接させるように、フック１０の他端１０ｄが第２ケース４に螺着するものである。
【選択図】  図８【図１】
0005573999.tif 000002
【図２】
0005573999.tif 000003
【図３】
0005573999.tif 000004
【図４】
0005573999.tif 000005
【図５】
0005573999.tif 000006
【図６】
0005573999.tif 000007
【図７】
0005573999.tif 000008
【図８】
0005573999.tif 000009
【図９】
0005573999.tif 000010
【図１０】
0005573999.tif 000011